(57)【特許請求の範囲】
【請求項１】
透液性のトップシートと、不透液性のバックシートと、前記トップシートと前記バックシートの間に配設された吸収体と、前記トップシート側に、前記吸収体の幅方向両側部に設けられた一対の立体ギャザーとを備え、おむつ本体に取り付けられて使用されるインナー吸収性物品であって、
前記バックシートと前記吸収体の間に、長手方向の引張力が前記立体ギャザーの長手方向の引張力よりも大きい弾性体が配設され、
前記弾性体は、腹側部から股下部を通って背側部にかけて延在され、且つ、前記股下部に配設された部分が複数箇所で切断されてなる糸ゴムを備えることを特徴とするインナー吸収性物品。
【請求項２】
前記吸収体は、前記腹側部から前記股下部を通って前記背側部にかけて延在され、
前記糸ゴムは、前記吸収体の幅方向両側縁部の各々に沿って配設されていることを特徴とする請求項１に記載のインナー吸収性物品。
【請求項３】
前記弾性部は、前記腹側部及び前記背側部に配設された複数の糸ゴムを備えることを特徴とする請求項１又は２の何れか一項に記載のインナー吸収性物品。
【請求項４】
前記吸収体は、前記腹側部から前記股下部を通って前記背側部にかけて延在され、
前記糸ゴムは、前記吸収体の前記腹側部及び前記背側部に配設された部分の幅方向両側縁部の各々に沿って配設されていることを特徴とする請求項３に記載のインナー吸収性物品。
【請求項５】
前記吸収体は、前記股下部に配設された部分が前記腹側部及び前記背側部に配設された部分に比べて厚くされてなることを特徴とする請求項１〜４の何れか一項に記載のインナー吸収性物品。
【請求項６】
前記バックシートの裏面の長手方向両端部及び長手方向中央部のうち、少なくとも何れか一方には、前記おむつ本体に着脱自在に止着される止着部材が設けられていることを特徴とする請求項１〜５の何れか一項に記載のインナー吸収性物品。
【発明の詳細な説明】
【技術分野】
【０００１】
本発明は、おむつやおむつの外装体等に取り付けられるインナー吸収性物品に関する。
【背景技術】
【０００２】
従来、おむつやおむつの外装体等のおむつ本体に取付けられて使用されるインナーパッドが知られている。
インナーパッドは、一般的に、三つ折り形状に折り畳まれて包装袋に封入されており、使用に際して、折り畳みを開いておむつ本体に取り付ける必要があるが、三つ折り形状に折り畳まれていると、片手で開くことが困難であった。特に、使用者自身がインナーパッドを取り付ける場合には、その作業がより困難となっていた。
【０００３】
そこで、近年では、片手でも取付け易いように、トップシート側が内側となるように二つ折り形状に折り畳まれたものが開発されている。
しかしながら、インナーパッドは、包装袋に圧縮された状態で入れられており、さらに、トップシート側の立体ギャザーの引張力により、インナーパッドを包装袋から取り出しても自然には開かないといった問題があった。
【０００４】
そこで、インナーパッドのバックシート側に立体ギャザーの引張力よりも大きい引張力を有する糸ゴムを配設して、当該インナーパッドをおむつ本体に取り付ける際に自然に開くように構成したものが提案されている（例えば、特許文献１参照）。
【特許文献１】特開２００４−３０５４６５号公報
【発明の開示】
【発明が解決しようとする課題】
【０００５】
しかしながら、上記特許文献１の場合、糸ゴムが長手方向に沿って配設されているため、トップシートとバックシートの間に配設された吸収体の長手方向中央部分、即ち、おむつが人体に装着された状態で股下に対応する部分が収縮して、フィット性が悪化してしまうといった問題がある。
【０００６】
そこで、本発明の課題は、おむつ本体に簡便に取付けることができ、人体に対するフィット性を向上させることができるインナー吸収性物品を提供することである。
【課題を解決するための手段】
【０００７】
請求項１に記載の発明は、
透液性のトップシートと、不透液性のバックシートと、前記トップシートと前記バックシートの間に配設された吸収体と、前記トップシート側に、前記吸収体の幅方向両側部に設けられた一対の立体ギャザーとを備え、おむつ本体に取り付けられて使用されるインナー吸収性物品であって、
前記バックシートと前記吸収体の間に、長手方向の引張力が前記立体ギャザーの長手方向の引張力よりも大きい弾性体が配設され、
前記弾性体は、腹側部から股下部を通って背側部にかけて延在され、且つ、前記股下部に配設された部分が複数箇所で切断されてなる糸ゴムを備えることを特徴としている。
【０００９】
請求項２に記載の発明は、請求項１に記載のインナー吸収性物品において、
前記吸収体は、前記腹側部から前記股下部を通って前記背側部にかけて延在され、
前記糸ゴムは、前記吸収体の幅方向両側縁部の各々に沿って配設されていることを特徴としている。
【００１０】
請求項３に記載の発明は、請求項１又は２の何れか一項に記載のインナー吸収性物品において、
前記弾性部は、前記腹側部及び前記背側部に配設された複数の糸ゴムを備えることを特徴としている。
【００１１】
請求項４に記載の発明は、請求項３に記載のインナー吸収性物品において、
前記吸収体は、前記腹側部から前記股下部を通って前記背側部にかけて延在され、
前記糸ゴムは、前記吸収体の前記腹側部及び前記背側部に配設された部分の幅方向両側縁部の各々に沿って配設されていることを特徴としている。
【００１２】
請求項５に記載の発明は、請求項１〜４の何れか一項に記載のインナー吸収性物品において、
前記吸収体は、前記股下部に配設された部分が前記腹側部及び前記背側部に配設された部分に比べて厚くされてなることを特徴としている。
【００１３】
請求項６に記載の発明は、請求項１〜５の何れか一項に記載のインナー吸収性物品において、
前記バックシートの裏面の長手方向両端部及び長手方向中央部のうち、少なくとも何れか一方には、前記おむつ本体に着脱自在に止着される止着部材が設けられていることを特徴としている。
【発明の効果】
【００１４】
請求項１に記載の発明によれば、バックシート側に、長手方向の引張力がトップシート側に設けられている立体ギャザーの長手方向の引張力よりも大きい弾性部が配設されているので、弾性部によってトップシートにおける腹側部と背側部が離れる方向への付勢力が常時生じており、トップシートの腹側部と背側部が対向するように二つ折り形状に折り畳まれた状態であっても、当該付勢力により腹側部と背側部が股下部を中心として開くように回動し易くなっており、インナー吸収性物品のおむつ本体に対する取付作業を簡便なものとすることができる。
また、腹側部から股下部を通って背側部にかけて延在され、且つ、股下部に配設された部分が切断されてなる糸ゴムによって、腹側部と背側部を股下部を中心として開くように回動させ易くすることができるとともに、腹側部と背側部が股下部を中心として開いた状態にて股下部を腹側部及び背側部よりも長手方向に収縮させ難くすることができ、股下部の人体の股間部に対するフィット性を向上させることができる。
【００１６】
請求項２に記載の発明によれば、請求項１に記載の発明と同様の効果が得られるのは無論のこと、特に、糸ゴムが、腹側部から股下部を通って背側部にかけて延在する吸収体の幅方向両側縁部の各々に沿って配設されているので、インナー吸収性物品の糸ゴムが配設されている部分の剛性を高めて、インナー吸収性物品を長手方向に収縮させ難くすることができ、人体に対するフィット性を向上させることができる。
【００１７】
請求項３に記載の発明によれば、腹側部及び背側部に配設された複数の糸ゴムによって、腹側部と背側部を股下部を中心として開くように回動させ易くすることができるとともに、腹側部と背側部が股下部を中心として開いた状態にて股下部を腹側部及び背側部よりも長手方向に収縮させ難くすることができ、請求項１又は２の何れか一項に記載の発明と同様の効果を得ることができる。
【００１８】
請求項４に記載の発明によれば、請求項３に記載の発明と同様の効果が得られるのは無論のこと、特に、糸ゴムが、腹側部から股下部を通って背側部にかけて延在する吸収体の腹側部及び背側部に配設された部分の幅方向両側縁部の各々に沿って配設されているので、インナー吸収性物品の糸ゴムが配設されている部分の剛性を高めて、インナー吸収性物品を長手方向に収縮させ難くすることができ、人体に対するフィット性を向上させることができる。
【００１９】
請求項５に記載の発明によれば、請求項１〜４の何れか一項に記載の発明と同様の効果が得られるのは無論のこと、特に、吸収体は、股下部に配設された部分が腹側部及び背側部に配設された部分に比べて厚くされているので、インナー吸収性物品の股下部を女性の股間部にフィットさせ易くすることができるとともに、股下部の剛性を向上させて、股下部を中心として腹側部及び背側部を開くようにより容易に回動させることができる。
【００２０】
請求項６に記載の発明によれば、請求項１〜５の何れか一項に記載の発明と同様の効果が得られるのは無論のこと、特に、バックシートの裏面の長手方向両端部及び長手方向中央部のうち、少なくとも何れか一方には、おむつ本体に着脱自在に止着される止着部材が設けられているので、止着部材をおむつ本体の所定位置に止着させることにより、インナー吸収性物品のおむつ本体に対する取付作業をより容易なものとすることができる。
【発明を実施するための最良の形態】
【００２１】
以下に、本発明について、図面を用いて具体的な態様を説明する。ただし、発明の範囲は、図示例に限定されない。
図１は、本発明を適用した一実施形態の紙おむつ１００の展開図であり、図２は、紙おむつ１００を組み立てた斜視図である。また、図３は、図１のIII−III線における紙おむつ１００の要部断面図である。
【００２２】
本実施形態の紙おむつ１００は、例えば、人体の股下側を腹側から背側にかけて覆うものであり、具体的には、図１〜図３に示すように、インナーパッド（インナー吸収性物品）１と、インナーパッド１が取り付けられるおむつ本体２とを備えている。
なお、以下の説明にあっては、インナーパッド１がおむつ本体２に取り付けられた状態で人体の背側から股下を通って腹側に亘る方向を長手方向Ｘとし、長手方向Ｘに略直交する方向を幅方向Ｙとする。
【００２３】
おむつ本体２は、当該紙おむつ１００の着用者の身体と接する接触面に配される本体側トップシート２１と、使用装着時に外部側に設けられる外装体２２と、本体側トップシート２１と外装体２２との間に介装される本体側吸収体２３と、本体側吸収体２３の幅方向Ｙ両側縁部に設けられた本体側ギャザーシート２４、２４とを備えて構成されている。
【００２４】
本体側トップシート２１は、透液性を有する不織布からなり、本体側吸収体２３の表面側（身体側）を覆う形状に形成されている。
外装体２２は、不透液性を有する不織布からなる外面シート２２ａと、外面シート２２ａに貼設される内面シート２２ｂとにより構成され、本体側吸収体２３の裏面側（装着時における外部側）を覆う形状に形成されている。
【００２５】
本体側トップシート２１及び外面シート２２ａは、例えば、透液性の不織布等により形成されている。
また、本体側トップシート２１及び外面シート２２ａを形成する不織布の素材としては、天然繊維、合成繊維のいずれを用いても良い。天然繊維としては、例えば、綿、セルロース（木材パルプ）、羊毛、絹等が挙げられる。また、合成繊維としては、例えば、ポリプロピレン（PP）、ポリエチレン（PE）、ナイロン、ポリエステル（PET）、アクリル等が挙げられる。また、PE/PP混合不織布、PE/PET混合不織布、上記素材を適宜組み合わせたバイコンポーネント繊維（混合繊維）も本体側トップシート２１及び外面シート２２ａとして用いることができる。
【００２６】
外装体２２の一方の端部には、当該紙おむつ１００の着用者の腹周りを被覆する腹周り構成部２５が形成され、他方の端部には、着用者の背周りを被覆する背周り構成部２６が形成されているとともに、腹周り構成部２５と背周り構成部２６との間に、着用者の股間部を被覆する本体側股下部２７が形成されている。
即ち、図２に示すように、腹周り構成部２５の幅方向Ｙ側の各端部と背周り構成部２６の幅方向Ｙ側の各端部がそれぞれ固着されて脇部を形成することで、紙おむつ１００がパンツ型の形状に成形されるようになっている。
【００２７】
腹周り構成部２５及び背周り構成部２６は、略等しい幅を有する略矩形状に形成されている。
また、腹周り構成部２５及び背周り構成部２６における外面シート２２ａと内面シート２２ｂとの間には、弾性部材としての複数本の糸ゴム２５ａ、２６ａが挟み込まれて固着されている。これにより、紙おむつ１００の使用の際に、着用者の胴周りおよび腰周りで、紙おむつ１００が伸縮自在となるように構成されている。
【００２８】
また、外装体２２の幅方向Ｙ側の両縁部の各々には、腹周り構成部２５の幅方向Ｙ側の各端部から本体側股下部２７を通り背周り構成部２６の幅方向Ｙ側の各端部に亘って、紙おむつ１００の着用者の脚の周りを囲む一対の脚周り部２８、２８が形成されている。
脚周り部２８は、着用者の脚周りに対応させて形成された脚周り用開口部の縁部に沿って、着用者の脚の周りに接触する一対の脚周りギャザー２８ａ、２８ａが設けられている。
【００２９】
脚周りギャザー２８ａには、外面シート２２ａと内面シート２２ｂとの間に、紙おむつ１００の使用の際に着用者の股間部やそけい部等に対する外装体２２の密着性を向上させるための複数本の糸ゴム２８ｂ、…が配設されている。
【００３０】
本体側吸収体２３は、紙おむつ１００の使用時に体液としての尿等の水様成分を吸収するものである。具体的には、本体側吸収体２３は、綿やパルプ等の吸収性素材や、繊維或いはフィルム等のシート状基材と高吸水性樹脂とが組み合わされて形成された吸収体コア２３ａと、吸収体コア２３ａを覆う透液性のクレープ紙２３ｂとを備えている。
【００３１】
吸収体コア２３ａは、例えば、その長手方向Ｘがおむつ本体２の長手方向Ｘと略等しくなるように腹周り構成部２５から本体側股下部２７を通って背周り構成部２６に亘って配設されている。
さらに、吸収体コア２３ａは、例えば、おむつ本体２の形状に対応させて、腹周り構成部２５側及び背周り構成部２６側に対して本体側股下部２７側が幅狭となるように内側に凹んで形成されている。
【００３２】
クレープ紙２３ｂは、吸収体コア２３ａを全体的に包装しており、透液性を有して体液を吸収する働きをなす。
【００３３】
本体側吸収体２３の外装体２２側には、防水フィルム２９が配設されている。
防水フィルム２９は、遮水性を有し、クレープ紙２３ｂを通過した水様分が外装体２２側に漏れることを防止する働きをなす。
【００３４】
本体側ギャザーシート２４は、紙おむつ１００における本体側トップシート２１側において、本体側吸収体２３の幅方向Ｙ両側縁部に、吸収体コア２３ａの腹側端部から背側端部にわたり、股下両端部に相当する位置に備えられている。
また、本体側ギャザーシート２４は、不透液性の不織布のシートを二つ折りにし、折り合わされた面を、例えば、ホットメルトや、ヒートシール、超音波シール等により固着させることにより形成されている。また、本体側ギャザーシート２４は、不織布のシートを二つ折りにした状態で、その基端部が本体側トップシート２１と外面シート２２ａとの間に挟まれるように固着されることにより固定されている。そして、不織布のシートが折り合わされた面間に、複数本の糸ゴム２４ａ、…が挟み込まれている。
このような構造の本体側ギャザーシート２４が紙おむつ１００に固着されて備えられた状態において、当該本体側ギャザーシート２４の自由端部が起立することにより本体側立体ギャザー２４ｂが形成される。そして、本体側ギャザーシート２４は、糸ゴム２４ａによって着用者の体型に合わせて伸縮自在に変形することで、着用者の身体に密着するようになっている。
【００３５】
なお、本体側ギャザーシート２４を形成する不織布は、上記した本体側トップシート２１及び外面シート２２ａを形成する不織布と略等しい素材から構成され、また、これら不織布の製造方法もほぼ等しくなっている。
【００３６】
次に、インナーパッド１について図４及び図５を参照して詳細に説明する。
図４は、インナーパッド１を模式的に示す斜視図である。また、図５は、インナーパッド１を示す裏面図である。
【００３７】
図４及び図５に示すように、インナーパッド１は、人体の腹側に配される腹側部１１と、背側に配される背側部１２と、腹側部１１と背側部１２との間にて股下を覆う股下部１３とを備えている。
股下部１３の幅方向Ｙ側の両縁部は、例えば、おむつ本体２の形状に対応させて内側に凹むように形成されている。
【００３８】
また、インナーパッド１は、人体と接する接触面に配される透液性のトップシート１０１と、トップシート１０１の裏面側に配されるセカンドシート１０８と、トップシート１０１と反対側の面に位置して使用装着時に外部側に設けられる不透液性のバックシート１０２と、トップシート１０１とバックシート１０２との間に介装される吸収体１０３と、トップシート１０１側に、吸収体１０３の幅方向Ｙ両側部に設けられた一対の立体ギャザー１０４、１０４とを備えて構成されている。
【００３９】
吸収体１０３は、使用時に体液としての尿等の水様成分を吸収する働きをなすものであり、綿やパルプ等の吸収性素材や、繊維或いはフィルム等のシート状基材と高吸収性ポリマーのような高吸水性樹脂とが組み合わされて形成された吸収体コア（図示略）が、透液性のクレープ紙（図示略）により覆われて構成されている。
なお、吸収体１０３は、上記のように複数層に分かれた構造であっても良いし、単層構造であっても良い。
【００４０】
また、吸収体１０３は、例えば、その長手方向Ｘがインナーパッド１の長手方向Ｘと略等しくなるように腹側部１１から股下部１３を通って背側部１２に亘って配設されている。
さらに、吸収体１０３は、例えば、おむつ本体２の形状に対応させて、腹側部１１及び背側部１２に対して股下部１３側が幅狭となるように内側に凹んで形成されている。
【００４１】
トップシート１０１の素材は、おむつ本体２に備わる本体側トップシート２１と略同様であり、その説明を省略する。
【００４２】
バックシート１０２は、例えば、ポリエチレン等の不透液性（防水性）を有するとともに、ムレ防止の観点から通気性を有するシート材である。
不透液性と通気性とを具備するシート材としては、ポリエチレンやポリプロピレン等のオレフィン系樹脂中に無機充填剤を溶融混練してシートを成形した後、一軸または二軸方向に延伸することにより得られる微多孔性シート材が好適に用いられる。
【００４３】
トップシート１０１及びバックシート１０２は、図４等に示すように、吸収体１０３よりも幅広に形成され、吸収体１０３よりも幅方向Ｙ外側の部分が所定の接着剤により接着されている。そして、トップシート１０１及びバックシート１０２の吸収体１０３よりも幅方向Ｙ外側の部分は、所定位置を起点として人体側に折り返されている。
また、トップシート１０１及びバックシート１０２の折り返された部分（折り返し部）１０２ａに立体ギャザー１０４を構成するギャザーシート１０５が貼り付けられている。
【００４４】
立体ギャザー１０４は、折り返し部１０２ａのトップシート１０１と反対の面に、不織布であるギャザーシート１０５を貼り付けることによって形成されている。ギャザーシート１０５は、折り返し部１０２ａの自由端部よりも延出されてなり、立体ギャザー１０４の自由端部側はギャザーシート１０５一層のみからなり、外向きに折り返されている。
また、立体ギャザー１０４の吸収体１０３の長手方向Ｘに沿って配設された部分は、自由端部を固定することなく配されているが、インナーパッド１の長手方向Ｘ両端部に対応する部分は、立体ギャザー１０４の自由端部ごとトップシート１０１側に折り畳まれてトップシート１０１に固定されている。
【００４５】
なお、ギャザーシート１０５の自由端部側には、例えば、複数本の糸ゴム１０５ａ、…が長手方向Ｘに亘って配設されており、これによって、立体ギャザー１０４が着用者の体型に合わせて伸縮自在に変形することとなって、着用者にフィットしやすい構造となっている。
【００４６】
また、バックシート１０２と吸収体１０３の間には、吸収体１０３の幅方向Ｙ両側縁部の各々に沿って裏面側糸ゴム１０６がそれぞれ２本ずつ配設されている。具体的には、裏面側糸ゴム１０６は、腹側部１１にて長手方向Ｘに沿って略直線状に配設され、股下部１３にて吸収体１０３の内側に凹んだ形状に沿うように湾曲して形成され、背側部１２にて長手方向Ｘに沿って略直線状に配設されている。即ち、裏面側糸ゴム１０６は、インナーパッド１の腹側部１１から股下部１３を通って背側部１２にかけて延在するように配設されている。
また、裏面側糸ゴム１０６の股下部１３に配設された部分は、複数箇所で切断されており、これにより、裏面側糸ゴム１０６の股下部１３側の長手方向Ｘの引張力が腹側部１１及び背側部１２側の長手方向Ｘの引張力よりも小さくされている。
なお、裏面側糸ゴム１０６の切断されている箇所は、模式的に一点鎖線で表している（図４及び図５参照）。
【００４７】
さらに、これら複数の裏面側糸ゴム１０６、…による長手方向Ｘの引張力は、立体ギャザー１０４に配設された糸ゴム１０５ａによる長手方向Ｘの引張力よりも大きくなっている。
これにより、インナーパッド１は、バックシート１０２側に配設された裏面側糸ゴム１０６による長手方向Ｘの引張力によって、トップシート１０１における腹側部１１と背側部１２が離れる方向への付勢力が常時生じている。従って、トップシート１０１の腹側部１１と背側部１２が対向するように二つ折り形状に折り畳まれた状態であっても、当該付勢力により腹側部１１と背側部１２が股下部１３を中心として開くように回動し易くなっており、インナーパッド１のおむつ本体２に対する取付作業を簡便なものとすることができる。
なお、インナーパッド１のおむつ本体２に対する取付作業については後述する。
【００４８】
また、図５に示すように、バックシート１０２の裏面（おむつ本体側の面）の長手方向Ｘ両端部、即ち、腹側部１１及び背側部１２に、面ファスナ（止着部材）１０７が設けられている。
面ファスナ１０７は、おむつ本体２の腹周り構成部２５及び背周り構成部２６の本体側トップシート２１の所定位置に着脱自在に止着されるものである。具体的には、面ファスナ１０７は、裏側から視て略矩形状に形成され、バックシート１０２の裏面の所定位置に所定の接着剤を介して固着されている。そして、面ファスナ１０７の表面に形成された複数のフック部（図示略）が本体側トップシート２１の表面に係止されることで止着される。
なお、面ファスナ１０７と本体側トップシート２１の止着を解除する場合には、面ファスナ１０７が設けられているインナーパッド１をおむつ本体２から引き剥がすようにインナーパッド１とおむつ本体２を相対的に移動させることにより、容易に止着解除を行うことができる。
【００４９】
次に、インナーパッド１のおむつ本体２に対する取付作業について説明する。
ここで、インナーパッド１は、おむつ本体２に対する取付前にて、トップシート１０１側が内側となるように、即ち、腹側部１１と背側部１２が対向するように二つ折り形状に折り畳まれたものを用いるものとする。
【００５０】
先ず、インナーパッド１のおむつ本体２に対する向きを調整する。具体的には、インナーパッド１を開いた際に、その長手方向Ｘとおむつ本体２の長手方向Ｘが揃うとともに、インナーパッド１の腹側部１１がおむつ本体２の腹周り構成部２５側に、且つ、インナーパッド１の背側部１２がおむつ本体２の背周り構成部２６側になるようにインナーパッド１及びおむつ本体２の向きを調整する。
【００５１】
そして、おむつ本体２の一対の本体側立体ギャザー２４ｂ、２４ｂの内側であって、本体側股下部２７にインナーパッド１の股下部１３を対向させるように配設した後、インナーパッド１の対向する腹側部１１と背側部１２の間に指を挿入して、腹側部１１と背側部１２の間を押し広げる。このとき、裏面側糸ゴム１０６による長手方向Ｘの引張力によって生じる腹側部１１と背側部１２が離れる方向への付勢力により、腹側部１１と背側部１２の間を押し広げるわずかな力で腹側部１１及び背側部１２が股下部１３を中心として開くように容易に回動して、インナーパッド１の腹側部１１がおむつ本体２の腹周り構成部２５に、且つ、インナーパッド１の背側部１２がおむつ本体２の背周り構成部２６に対向するように配設される。
【００５２】
そして、腹側部１１の裏面側に設けられた面ファスナ１０７が腹周り構成部２５における本体側トップシート２１の表面に接触することにより当該表面に止着されるとともに、背側部１２の裏面側に設けられた面ファスナ１０７が背周り構成部２６における本体側トップシート２１の表面に接触することにより当該表面に止着された状態となる。
これにより、おむつ本体２に対するインナーパッド１の取付作業が完了する。
【００５３】
以上のように、本実施形態の紙おむつ１００によれば、バックシート１０２側に、腹側部１１から股下部１３を通って背側部１２にかけて延在され、且つ、股下部１３に配設された部分が切断された裏面側糸ゴム１０６が配設されており、これにより、バックシート１０２側の長手方向Ｘの引張力がトップシート１０１側に設けられている立体ギャザー１０４の糸ゴム１０５ａによる長手方向Ｘの引張力よりも大きくされている。
従って、裏面側糸ゴム１０６によりトップシート１０１における腹側部１１と背側部１２が離れる方向への付勢力が常時生じており、トップシート１０１の腹側部１１と背側部１２が対向するように二つ折り形状に折り畳まれた状態であっても、当該付勢力により腹側部１１及び背側部１２が股下部１３を中心として開くように回動し易くなっており、インナーパッド１のおむつ本体２に対する取付作業を簡便なものとすることができる。
また、裏面側糸ゴム１０６は、股下部１３に配設された部分が切断されていることにより、股下部１３側の長手方向Ｘの引張力が腹側部１１及び背側部１２側の長手方向Ｘの引張力よりも小さくされているので、腹側部１１と背側部１２が股下部１３を中心として開いた状態となっても、股下部１３を腹側部１１及び背側部１２よりも長手方向Ｘに収縮させ難くすることができ、股下部１３の人体の股間部に対するフィット性を向上させることができる。
特に、裏面側糸ゴム１０６が、腹側部１１から股下部１３を通って背側部１２にかけて延在する吸収体１０３の幅方向Ｙ両側縁部の各々に沿って配設されているので、インナーパッド１の裏面側糸ゴム１０６が配設されている部分の剛性を高めて、インナーパッド１を長手方向Ｘに収縮させ難くすることができ、人体に対するフィット性をより向上させることができる。
【００５４】
また、バックシート１０２の裏面の長手方向Ｘ両端部、即ち、腹側部１１及び背側部１２に、おむつ本体２に着脱自在に止着される面ファスナ１０７が設けられているので、面ファスナ１０７をおむつ本体２の本体側トップシート２１の腹周り構成部２５及び背周り構成部２６の所定位置に止着させることができ、インナーパッド１のおむつ本体２に対する取付作業をより容易なものとすることができる。
【００５５】
なお、本発明は、上記実施形態に限定されることなく、本発明の趣旨を逸脱しない範囲において、種々の改良並びに設計の変更を行っても良い。
以下に、インナーパッドの変形例について図６〜図１３を参照して説明する。
【００５６】
＜変形例１＞
図６は、変形例１のインナーパッド３０１を示す裏面図である。
なお、変形例１のインナーパッド３０１は、以下に説明する以外の点で上記実施形態におけるものと同様であるので、その説明を省略する。
図６に示すように、変形例１のインナーパッド３０１は、バックシート１０２の裏面の長手方向Ｘ両端部に加えて、長手方向Ｘ中央部、即ち、股下部１３に、面ファスナ１０７が設けられている。
【００５７】
これにより、インナーパッド３０１のおむつ本体２に対する取付作業において、おむつ本体２の本体側股下部２７にインナーパッド３０１の股下部１３を対向させるように配設した際に、股下部１３の裏面側の面ファスナ１０７が本体側股下部２７における本体側トップシート２１の表面に接触することにより当該表面に止着された状態となって、おむつ本体２に対してインナーパッド３０１が長手方向Ｘ及び幅方向Ｙに位置決めされる。
従って、インナーパッド３０１のおむつ本体２に対する取付作業をより簡便なものとすることができる。
【００５８】
なお、上記変形例１にあっては、インナーパッド３０１の腹側部１１及び背側部１２の裏面側にも、面ファスナ１０７を設けるようにしたが、おむつ本体２に対するインナーパッド３０１の位置決め作業の容易化の観点からは、必ずしも腹側部１１及び背側部１２の裏面側に面ファスナ１０７を設ける必要はない。
【００５９】
＜変形例２＞
図７は、変形例２のインナーパッド４０１を示す正面図である。また、図８は、図７のVIII−VIII線におけるインナーパッド４０１の要部断面図である。
なお、変形例２のインナーパッド４０１は、以下に説明する以外の点で上記実施形態におけるものと同様であるので、その説明を省略する。
図７及び図８に示すように、変形例２のインナーパッド４０１は、股下部１３に配設された部分が腹側部１１及び背側部１２に配設された部分に比べて厚くされた吸収体４０３を備えている。即ち、吸収体４０３は、股下部１３の略中央部にて、正面視にて略長円形状をなし、側面視にて人体側に盛り上がるように肉厚な形状に形成されている。
【００６０】
これにより、インナーパッド４０１を女性の股間部にフィットさせ易くすることができるとともに、インナーパッド４０１の股下部１３の剛性を向上させることができるので、股下部１３を中心として腹側部１１及び背側部１２を開くようにより容易に回動させることができる。
【００６１】
＜変形例３＞
図９は、変形例３のインナーパッド５０１を示す裏面図である。
なお、変形例３のインナーパッド５０１は、以下に説明する以外の点で上記実施形態におけるものと同様であるので、その説明を省略する。
図９に示すように、変形例３のインナーパッド５０１は、腹側部１１から股下部１３を通って背側部１２に亘って幅方向Ｙの長さが略等しい吸収体５０３を備え、当該吸収体１０３の幅方向Ｙ両側縁部の各々に沿って裏面側糸ゴム５０６が配設されている。
裏面側糸ゴム５０６は、腹側部１１から股下部１３を通って背側部１２にかけて延在され、且つ、股下部１３に配設された部分が複数箇所で切断されている。
【００６２】
このような構造であっても、上記実施形態と同様に、裏面側糸ゴム５０６による引張力によって腹側部１１及び背側部１２を股下部１３を中心として開くように回動させ易くして、インナーパッド５０１のおむつ本体２に対する取付作業を簡便なものとすることができる。
また、裏面側糸ゴム５０６は、股下部１３に配設された部分が切断されていることにより、股下部１３を腹側部１１及び背側部１２よりも長手方向Ｘに収縮させ難くして、股下部１３の人体の股間部に対するフィット性を向上させることができる。
【００６３】
＜変形例４＞
図１０は、変形例４のインナーパッド６０１を示す裏面図である。
なお、変形例４のインナーパッド６０１は、以下に説明する以外の点で上記実施形態におけるものと同様であるので、その説明を省略する。
図１０に示すように、変形例４のインナーパッド６０１は、２本の裏面側糸ゴム６０６、６０６が股下部１３にて交差するように配設されている。具体的には、２本の裏面側糸ゴム６０６、６０６のうち、一方の糸ゴム６０６は、吸収体５０３の腹側部１１における右隅部から背側部１２における左隅部にかけて延在するように直線状に配設され、他方の糸ゴム６０６は、吸収体１０３の腹側部１１における左隅部から背側部１２における右隅部にかけて延在するように直線状に配設され、これら２本の糸ゴム６０６、６０６が股下部１３の所定位置にて交差している。
また、裏面側糸ゴム６０６は、股下部１３に配設された部分が複数箇所で切断されている。
【００６４】
なお、吸収体５０３は、変形例３のインナーパッド５０１（図９参照）に備わるものと同様であり、腹側部１１から股下部１３を通って背側部１２に亘って幅方向Ｙの長さが略等しくされているが、吸収体５０３の形状はこれに限られるものではなく、適宜任意に変更することができる。
【００６５】
このような構造であっても、上記実施形態と同様に、裏面側糸ゴム６０６による引張力によって腹側部１１及び背側部１２を股下部１３を中心として開くように回動させ易くして、インナーパッド６０１のおむつ本体２に対する取付作業を簡便なものとすることができる。
また、裏面側糸ゴム６０６は、股下部１３に配設された部分が切断されていることにより、股下部１３を腹側部１１及び背側部１２よりも長手方向Ｘに収縮させ難くして、股下部１３の人体の股間部に対するフィット性を向上させることができる。
【００６６】
＜変形例５＞
図１１は、変形例５のインナーパッド７０１を示す裏面図である。
なお、変形例５のインナーパッド７０１は、以下に説明する以外の点で上記実施形態におけるものと同様であるので、その説明を省略する。
図１１に示すように、変形例５のインナーパッド７０１は、腹側部１１及び背側部１２に配設された複数の裏面側糸ゴム７０６、…を備えている。即ち、腹側部１１の幅方向両端部の各々に吸収体１０３の幅方向Ｙ両側縁部の各々に沿って２本ずつ裏面側糸ゴム７０６が配設されるとともに、背側部１２の幅方向両端部の各々に吸収体１０３の幅方向Ｙ両側縁部の各々に沿って２本ずつ裏面側糸ゴム７０６が配設されている。
【００６７】
このような構造であっても、上記実施形態と同様に、裏面側糸ゴム７０６による引張力によって腹側部１１及び背側部１２を股下部１３を中心として開くように回動させ易くして、インナーパッド７０１のおむつ本体２に対する取付作業を簡便なものとすることができる。
また、裏面側糸ゴム７０６は、腹側部１１及び背側部１２にのみ配設されていることにより、股下部１３を腹側部１１及び背側部１２よりも長手方向Ｘに収縮させ難くして、股下部１３の人体の股間部に対するフィット性を向上させることができる。
特に、裏面側糸ゴム７０６が、吸収体１０３の腹側部１１及び背側部１２に配設された部分の幅方向Ｙ両側縁部の各々に沿って配設されているので、インナーパッド７０１の裏面側糸ゴム７０６が配設されている腹側部１１及び背側部１２の剛性を高めて、インナーパッド７０１を長手方向Ｘに収縮させ難くすることができ、人体に対するフィット性を向上させることができる。
【００６８】
＜変形例６＞
図１２は、変形例６のインナーパッド８０１を示す裏面図である。
なお、変形例６のインナーパッド８０１は、以下に説明する以外の点で上記実施形態におけるものと同様であるので、その説明を省略する。
図１２に示すように、変形例６のインナーパッド８０１は、変形例３のインナーパッド５０１（図９参照）と同様に、腹側部１１から股下部１３を通って背側部１２に亘って幅方向Ｙの長さが略等しい吸収体５０３を備え、当該吸収体１０３の腹側部１１及び背側部１２に配設された部分の幅方向Ｙ両側縁部の各々に沿って複数の裏面側糸ゴム７０６、…が配設されている。
【００６９】
このような構造であっても、上記変形例５と同様に、裏面側糸ゴム７０６による引張力によって腹側部１１及び背側部１２を股下部１３を中心として開くように回動させ易くして、インナーパッド８０１のおむつ本体２に対する取付作業を簡便なものとすることができる。
また、裏面側糸ゴム７０６は、腹側部１１及び背側部１２にのみ配設されていることにより、股下部１３を腹側部１１及び背側部１２よりも長手方向Ｘに収縮させ難くして、股下部１３の人体の股間部に対するフィット性を向上させることができる。
【００７０】
なお、上記変形例５及び６にあっては、腹側部１１及び背側部１２に配設された裏面側糸ゴム７０６として、長手方向Ｘに沿って延在するものを例示したが、これに限られるものではなく、変形例４の裏面側糸ゴム６０６と同様に、所定位置にて交差するような向きで配設されたものであっても良い。
【００７１】
＜変形例７＞
図１３は、変形例７のインナーパッド９０１を示す裏面図である。
なお、変形例７のインナーパッド９０１は、以下に説明する以外の点で上記実施形態におけるものと同様であるので、その説明を省略する。
図１３に示すように、変形例７のインナーパッド９０１は、吸収体１０３の幅方向Ｙ略中央部に配設された裏面側糸ゴム９０６を備えている。即ち、裏面側糸ゴム９０６は、吸収体１０３の幅方向Ｙ略中央部に長手方向に沿って１本配設されている。
【００７２】
なお、上記実施形態にあっては、おむつ本体２として、いわゆるパンツ型の紙おむつ１００を例示して説明したが、これに限られるものではなく、テープ式のものであっても良いし、トランクス型のものであっても良い。
また、おむつ本体２として、本体側吸収体２３を備えるものを例示したが、これに限られるものではなく、本体側吸収体２３を備えるか否かは適宜任意に変更することができ、本体側吸収体２３を備えない外装体の表面にインナーパッド１、３０１、４０１、５０１、６０１、７０１、８０１、９０１を取り付けるようにしても良い。
【００７３】
また、上記実施形態では、止着部材として、本体側トップシート２１の表面に係止されるフック部が形成された面ファスナ１０７を例示したが、これに限られるものではなく、おむつ本体２に着脱自在に止着されるものであれば如何なる構成のものであっても良い。
なお、面ファスナ１０７の形状は、略矩形状に限られるものではなく、適宜任意に変更することができる。
【００７４】
さらに、上記実施形態にあっては、バックシート１０２の裏面側の長手方向Ｘ両端部側を重くして、股下部１３を中心として腹側部１１及び背側部１２が開くように回動し易いような構造としても良い。
【００７５】
また、股下部１３側の長手方向Ｘの引張力及び腹側部１１及び背側部１２側の長手方向Ｘの引張力を調整するために、裏面側糸ゴム１０６、５０６、６０６、９０６の股下部１３に配設された部分を複数箇所で切断したり、インナーパッド７０１、８０１の腹側部１１及び背側部１２にのみ裏面側糸ゴム７０６を配設するようにしたが、引張力の調整手段はこれに限られるものではない。例えば、これらの裏面側糸ゴム１０６、５０６、６０６、７０６、９０６を適宜組み合わせても良いし、これらに加えて腹側部１１から股下部１３を通って背側部１２にかけて連続して延在する裏面側糸ゴムを組み合わせるようにしても良い。
【００７６】
さらに、裏面側糸ゴム１０６、５０６、６０６、７０６、９０６の配設パターンは、上記実施形態及び変形例に例示したものに限られるものではなく、適宜任意に変更することができる。
【図面の簡単な説明】
【００７７】
【図１】本発明を適用した一実施形態の紙おむつの展開図である。
【図２】図１の紙おむつを組み立てた斜視図である。
【図３】図１のIII−III線における紙おむつの要部断面図である。
【図４】図１の紙おむつを構成するインナーパッドを模式的に示す斜視図である。
【図５】図４のインナーパッドを示す裏面図である。
【図６】変形例１のインナーパッドを示す裏面図である。
【図７】変形例２のインナーパッドを示す正面図である。
【図８】図７のVIII−VIII線におけるインナーパッドの要部断面図である。
【図９】変形例３のインナーパッドを示す裏面図である。
【図１０】変形例４のインナーパッドを示す裏面図である。
【図１１】変形例５のインナーパッドを示す裏面図である。
【図１２】変形例６のインナーパッドを示す裏面図である。
【図１３】変形例７のインナーパッドを示す裏面図である。
【符号の説明】
【００７８】
１００  紙おむつ
２      紙おむつ本体
１、３０１、４０１、５０１、６０１、７０１、８０１、９０１  インナーパッド（インナー吸収性物品）
１１    腹側部
１２    背側部
１３    股下部
１０１  トップシート
１０２  バックシート
１０３、４０３、５０３  吸収体
１０４  立体ギャザー
１０６、５０６、６０６、７０６、９０６  裏面側糸ゴム（弾性部）
１０７  面ファスナ（止着部材）
【図１】
0005243079.tif 000002
【図２】
0005243079.tif 000003
【図３】
0005243079.tif 000004
【図４】
0005243079.tif 000005
【図５】
0005243079.tif 000006
【図６】
0005243079.tif 000007
【図７】
0005243079.tif 000008
【図８】
0005243079.tif 000009
【図９】
0005243079.tif 000010
【図１０】
0005243079.tif 000011
【図１１】
0005243079.tif 000012
【図１２】
0005243079.tif 000013
【図１３】
0005243079.tif 000014